(57)【特許請求の範囲】
【請求項１】
求職者に関する個人情報と当該求職者が所望する労働条件とを含む求職者情報を取得する求職者情報取得部と、
求人企業が提示する求人案件に関する求人案件情報を取得する求人案件情報取得部と、
前記求職者情報と前記求人案件情報とに基づいて、前記求職者と前記求人案件との適合度を示すベーススコアを算出するベーススコア算出部と、
前記求人企業の状況に関する企業状況情報に基づいて求人案件の推薦度を示す求職者起点優遇スコアを算出する求職者起点優遇スコア算出部と、
前記求職者情報に基づいて求職者の推薦度を示す企業起点優遇スコアを算出する企業起点優遇スコア算出部と、
前記ベーススコアと、前記求職者起点優遇スコア又は前記企業起点優遇スコアとに基づいてマッチングスコアを算出するマッチングスコア算出部と、を備える、
マッチングシステム。
【請求項２】
前記ベーススコア算出部は、
前記求人案件情報に含まれる採用条件を構成する各項目に設定される配点に、前記求職者によって設定される前記労働条件を構成する各項目の優先度に基づいて重み付けを設定する重み付け設定部と、
前記労働条件と前記採用条件とを比較することにより各項目について条件を満たすか否かを判定するとともに、前記各項目に設定された重み付けに基づいてベーススコアを演算するベーススコア演算部と、を含む、
請求項１に記載のマッチングシステム。
【請求項３】
前記ベーススコア算出部は、
前記求職者情報に基づいて、当該求職者の、所定の職種に関する経験の有無を判断する職種経験判断部と、
前記所定の職種に関する経験の有無に応じて、前記ベーススコアを演算する複数の演算方法のうちいずれかの演算方法を選択する演算方法選択部と、をさらに含み、
前記ベーススコア演算部は、選択された演算方法を用いて前記ベーススコアを演算する、
請求項２に記載のマッチングシステム。
【請求項４】
前記複数の演算方法は、加点法及び減点法を含む、
請求項３に記載のマッチングシステム。
【請求項５】
前記個人情報は、当該求職者の特性に関する特性情報を含み、
前記ベーススコア算出部は、
前記特性情報に基づいて、職種に対応する適正度を判断する適正職種判断部を、さらに含み、
前記ベーススコア演算部は、前記適正度を付与して、前記ベーススコアを演算する、
請求項２から４のいずれか一項に記載のマッチングシステム。
【請求項６】
前記重み付け設定部は、前記求人企業によって設定される採用方針に基づいて重み付けを設定する、
請求項２から５のいずれか一項に記載のマッチングシステム。
【請求項７】
前記求職者起点優遇スコア算出部は、採用の時期、人数、基準、緊急度、積極性及び当該マッチングシステムの契約プランのうち少なくとも１つを含む求職者起点優遇項目に基づいて前記求職者起点優遇スコアを算出する、
請求項１から６のいずれか一項に記載のマッチングシステム。
【請求項８】
前記企業起点優遇スコア算出部は、求職者の勤務開始時期、年齢、職歴及びスキルのうち少なくとも１つを含む企業起点優遇項目に基づいて前記企業起点優遇スコアを算出する、
請求項１から７のいずれか一項に記載のマッチングシステム。
【請求項９】
前記企業起点優遇スコア算出部は、前記求人企業によって設定される前記企業起点優遇項目の優先度に基づいて前記企業起点優遇スコアを算出する、
請求項８に記載のマッチングシステム。
【発明の詳細な説明】
【技術分野】
【０００１】
本発明は、マッチングシステムに関する。
【背景技術】
【０００２】
従来、求職者は、求人企業が提供する採用条件を調査し、所望する労働条件等に照らし合わせながら、就職活動及び転職活動等を行っていた。
【０００３】
また、近年では、求職者と求人企業とを仲介する仲介業務を担う企業も多く存在し、さらには、求職者と求人企業とをマッチングするマッチングシステムに関する技術も普及している。
【０００４】
従来のマッチングシステムでは、求職者が所望する労働条件と求人企業が提供する採用条件とを照らし合わせて、双方の条件が一致しているか否かを判断し、求職者と求人企業とをマッチングしていた。
【０００５】
さらに、特許文献１に記載の技術では、求人企業が提示する募集条件における条件項目毎に点数を設定し、各条件項目と求職者の会員情報とを比較する。そして、合致する条件項目があれば、当該条件項目に設定された点数を加算して合計値を算出し、当該合計値を求人企業と求職者との適合度としている。
【０００６】
また、特許文献１に記載の技術では、求人企業において特に必要な条件がある場合には、上記条件項目毎に点数を設定する際に、当該条件項目の配点を大きくしたり、合致しない場合には減点したりすることにより、当該求人企業の意図に沿った適合度となるように対応している。
【先行技術文献】
【特許文献】
【０００７】
【特許文献１】特開２００２−２１５７６５号公報
【発明の概要】
【発明が解決しようとする課題】
【０００８】
しかしながら、特許文献１に記載の技術では、求職者及び求人企業双方の要求が適切に反映されておらず、求職者及び求人企業双方にとって満足するマッチング結果が得られないという問題がある。
【０００９】
そこで、本発明は、求職者及び求人企業双方の意図に沿った適切なマッチングを行うマッチングシステムを提供することを目的とする。
【課題を解決するための手段】
【００１０】
本発明の一態様に係るマッチングシステムは、求職者に関する個人情報と当該求職者が所望する労働条件とを含む求職者情報を取得する求職者情報取得部と、求人企業が提示する求人案件に関する求人案件情報を取得する求人案件情報取得部と、求職者情報と求人案件情報とに基づいて、求職者と求人案件との適合度を示すベーススコアを算出するベーススコア算出部と、求人企業の状況に関する企業状況情報に基づいて求人案件の推薦度を示す求職者起点優遇スコアを算出する求職者起点優遇スコア算出部と、求職者情報に基づいて求職者の推薦度を示す企業起点優遇スコアを算出する企業起点優遇スコア算出部と、ベーススコアと、求職者起点優遇スコア又は企業起点優遇スコアとに基づいてマッチングスコアを算出するマッチングスコア算出部と、を備える。
【００１１】
この態様によれば、ベーススコアと、求職者起点優遇スコア又は企業起点優遇スコアとに基づいてマッチングスコアを算出するため、求職者及び求人企業双方の意図に沿った適切なマッチングを行うことができる。
【００１２】
上記態様において、ベーススコア算出部は、求人案件情報に含まれる採用条件を構成する各項目に設定される配点に、求職者によって設定される労働条件を構成する各項目の優先度に基づいて重み付けを設定する重み付け設定部と、労働条件と採用条件とを比較することにより各項目について条件を満たすか否かを判定するとともに、当該各項目に設定された重み付けに基づいてベーススコアを演算するベーススコア演算部と、を含んでもよい。
【００１３】
この態様によれば、重み付け設定部が、採用条件を構成する各項目に設定される配点に、求職者によって設定される労働条件を構成する各項目の優先度に基づいて重み付けを設定するため、求職者及び求人企業双方の意図をより反映した結果を得ることができる。
【００１４】
上記態様において、ベーススコア算出部は、求職者情報に基づいて、当該求職者の、所定の職種に関する経験の有無を判断する職種経験判断部と、所定の職種に関する経験の有無に応じて、ベーススコアを演算する複数の演算方法のうちいずれかの演算方法を選択する演算方法選択部と、をさらに含み、ベーススコア演算部は、選択された演算方法を用いてベーススコアを演算してもよい。
【００１５】
この態様によれば、演算方法選択部が、所定の職種に関する経験の有無に応じて、ベーススコアを演算する演算方法を選択するため、より適切な演算結果を得ることができる。
【００１６】
上記態様において、複数の演算方法は、加点法及び減点法を含んでもよい。
【００１７】
この態様によれば、演算方法として、加点法及び減点法を選択することができ、所定の職種に関する経験の有無に応じて、より適切な演算結果を得ることができる。
【００１８】
上記態様において、個人情報は、当該求職者の特性に関する特性情報を含み、ベーススコア算出部は、特性情報に基づいて、職種に対応する適正度を判断する適正職種判断部を、さらに含み、ベーススコア演算部は、適正度を付与して、ベーススコアを演算してもよい。
【００１９】
この態様によれば、ベーススコア演算部が、適正職種判断部によって判断された適正度を付与してベーススコアを演算するため、求職者個人の職種に対応する適正度も考慮され、より適切な演算結果を得ることができる。
【００２０】
上記態様において、重み付け設定部は、求人企業によって設定される採用方針に基づいて重み付けを設定してもよい。
【００２１】
この態様によれば、求人企業の採用方針に基づいて重み付けが設定されるため、求人企業の意図をより反映した結果を得ることができる。
【００２２】
上記態様において、求職者起点優遇スコア算出部は、採用の時期、人数、基準、緊急度、積極性及び当該マッチングシステムの契約プランのうち少なくとも１つを含む求職者起点優遇項目に基づいて求職者起点優遇スコアを算出してもよい。
【００２３】
この態様によれば、求職者起点の具体的な優遇項目に基づいて求職者起点優遇スコアが算出されるため、求職者及び求人企業双方の意図に沿った、より適切なマッチングを行うことができる。
【００２４】
上記態様において、企業起点優遇スコア算出部は、求職者の勤務開始時期、年齢、職歴及びスキルのうち少なくとも１つを含む企業起点優遇項目に基づいて企業起点優遇スコアを算出してもよい。
【００２５】
この態様によれば、企業起点の具体的な優遇項目に基づいて企業起点優遇スコアが算出されるため、求職者及び求人企業双方の意図に沿った、より適切なマッチングを行うことができる。
【００２６】
上記態様において、企業起点優遇スコア算出部は、求人企業によって設定される企業起点優遇項目の優先度に基づいて企業起点優遇スコアを算出してもよい。
【００２７】
この態様によれば、企業起点優遇スコア算出部が、企業起点優遇項目の優先度に基づいて企業起点優遇スコアを算出するため、求職者及び求人企業双方の意図をより反映した、より適切なマッチングを行うことができる。
【００２８】
さらに、上述した本発明の一態様に係るマッチングシステムが行うそれぞれの処理は、一連の処理手順を与えるマッチング方法として捉えることができる。この方法は、一連の処理手順をコンピュータに実行させるためのプログラムの形式で提供される。このプログラムは、所定のサーバからダウンロードする形態で、プログラムが格納された所定のサーバにインターネット経由でアクセスする形態で、もしくはコンピュータで読み取り可能な記録媒体に記録された形態で、コンピュータに導入されてもよい。
【発明の効果】
【００２９】
本発明によれば、求職者及び求人企業双方の意図に沿った適切なマッチングを行うマッチングシステムを提供することができる。
【図面の簡単な説明】
【００３０】
【図１】本発明の第１実施形態に係るマッチングシステム１００を示すシステム概要図である。
【図２】本発明の第１実施形態に係るマッチングシステム１００における各機能を示す機能ブロック図である。
【図３】本発明の第１実施形態に係るマッチングシステム１００におけるベーススコア算出部１３０の一例を示す図である。
【図４】本発明の第１実施形態に係るマッチングシステム１００において、採用条件を構成する各項目に設定される配点及び求職者によって設定される優先度に基づいて、ベーススコアが算出される一例を示す図である。
【図５】本発明の第１実施形態に係るマッチングシステム１００において、ベーススコアに求職者起点優遇スコアが付与されて、マッチングスコアが算出される一例を示す図である。
【図６】本発明の第１実施形態に係るマッチングシステム１００において、ベーススコアに企業起点優遇スコアが付与されて、マッチングスコアが算出される一例を示す図である。
【図７】本発明の第１実施形態に係るマッチングシステム１００において、企業起点優遇項目に設定された優先順位に基づいて企業起点優遇スコアが算出される一例を示す図である。
【図８】本発明の第１実施形態に係るマッチングシステム１００が実行するマッチング方法Ｍ１００の処理の流れを示すフローチャートである。
【図９】本発明の第２実施形態に係るマッチングシステムにおけるベーススコア算出部２３０の一例を示す図である。
【図１０】本発明の第２実施形態に係るマッチングシステムにおけるベーススコア算出部２３０によって、減点法が用いられてベーススコアが算出される一例を示す図である。
【図１１】本発明の第２実施形態に係るマッチングシステムが実行するマッチング方法Ｍ２００の処理の流れを示すフローチャートである。
【図１２】求職者の特性に対応する適正職種の一例を示す図である。
【図１３】求人企業によって設定される採用方針の一例を示す図である。
【図１４】求人企業によって設定される採用方針に基づいて、各項目に対する重み付け（配点）の一例を示す図である。
【図１５】求職者によって設定される優先度及び求人企業によって設定される採用方針に基づいて、ベーススコア及び企業起点優遇スコアが算出される一例を示す図である。
【発明を実施するための形態】
【００３１】
以下、本発明の好適な実施形態について、添付図面を参照しながら具体的に説明する。なお、以下で説明する実施形態は、あくまで、本発明を実施するための具体的な一例を挙げるものであって、本発明を限定的に解釈させるものではない。また、説明の理解を容易にするため、各図面において同一の構成要素に対しては可能な限り同一の符号を付して、重複する説明は省略する場合がある。
【００３２】
＜第１実施形態＞
［マッチングシステムの概要］
図１は、本発明の第１実施形態に係るマッチングシステム１００を示すシステム概要図である。図１において、マッチングシステム１００は、求職者情報ＤＢ１０に登録されている求職者と、求人案件情報ＤＢ２０に登録されている求人企業の求人案件とをマッチングする。
【００３３】
求職者情報ＤＢ１０には、例えば、求職者に関する個人情報と当該求職者が所望する労働条件とを含む求職者情報が記憶されており、求人案件情報ＤＢ２０には、求人企業が提示する求人案件に関する求人案件情報が記憶されている。
【００３４】
ここで、求職者情報とは、例えば、求職者の氏名、住所、連絡先、学歴、職歴、年齢、性別、資格、スキル、性格、特性等に関する個人情報、及び業種、職種、職位、勤務地、雇用形態、給与、就業時間、休み等に関する所望の労働条件等が含まれる。
【００３５】
求人案件情報とは、例えば、求人企業が提供する求人案件における、学歴、職歴、年齢、性別、資格、スキル、性格、特性、業種、職種、職位、勤務地、雇用形態、給与、就業時間、休み等に関する所望の採用条件等が含まれる。さらに、当該求人案件を提供する求人企業の所在地、従業員数、業績及び社風等の企業情報も含まれてもいても構わない。
【００３６】
このような求職者情報及び求人案件情報は、求職者及び求人企業が直接的に、又は仲介業者等を介して間接的に、当該マッチングシステム１００に登録されても構わないし、履歴書及び職務経歴書、及び募集要項等の書類を読み込む形式で登録されても構わない。
【００３７】
なお、求職者情報及び求人案件情報は、上述した項目のすべてを含んでいる必要はなく、また、求職者と求人企業の求人案件とをマッチングするために、上述した項目以外の情報を含んでいても構わない。
【００３８】
マッチングシステム１００は、求職者それぞれに適合する求人案件を提供し、企業が提供する求人案件それぞれに適合する求職者を提供する。その際に、求職者及び求人企業双方の要求に沿った適合度を示すスコアが付されるため、求職者及び求人企業にとっては、直感的に理解し易い。当該スコアに関する詳しい内容は後述する。
【００３９】
図２は、本発明の第１実施形態に係るマッチングシステム１００における各機能を示す機能ブロック図である。図２において、マッチングシステム１００は、求職者情報取得部１１０と、求人案件情報取得部１２０と、ベーススコア算出部１３０と、求職者起点優遇スコア算出部１４０と、企業起点優遇スコア算出部１５０と、マッチングスコア算出部１６０とを備える。なお、求職者情報ＤＢ１０及び求人案件情報ＤＢ２０は、当該マッチングシステム１００に含まれていても構わないし、外部データベースとして配置されていても構わない。
【００４０】
求職者情報取得部１１０は、求職者情報ＤＢ１０に登録されている、求職者に関する個人情報と当該求職者が所望する労働条件とを含む求職者情報を取得する。例えば、求職者情報取得部１１０は、個人情報として、職歴、保有資格、年齢及び性格等の特性等を取得し、所望する労働条件として、職種、勤務地、雇用形態、給与及び休日等を取得する。
【００４１】
求人案件情報取得部１２０は、求人案件情報ＤＢ２０に登録されている、求人企業が提示する求人案件に関する求人案件情報を取得する。例えば、求職者情報取得部１１０は、求人案件情報として、職種、勤務地、雇用形態、給与、休日、職歴、保有資格、年齢及び性格等の特性等の採用条件を取得する。
【００４２】
ベーススコア算出部１３０は、求職者情報取得部１１０によって取得された求職者情報と、求人案件情報取得部１２０によって取得された求人案件情報とに基づいて、求職者と求人案件との適合度を示すベーススコアを算出する。
【００４３】
求職者起点優遇スコア算出部１４０は、求人企業の状況に関する企業状況情報に基づいて求人案件の推薦度を示す求職者起点優遇スコアを算出する。求職者起点優遇スコアとは、後述するマッチングスコアを算出する際に、求職者向けに求人案件を推薦する要因を考慮するものである。例えば、求職者起点優遇スコアは、採用の時期、人数、基準、緊急度、積極性及び当該マッチングシステムの契約プランを含む求職者起点優遇項目に基づいて算出される。より具体的には、求人企業が採用に積極的な時期であったり、上位の契約プランに加入し、採用に意欲を示していたりすれば、当該求人企業が提供する求人案件の求職者への推薦度は高くなり、求職者起点優遇スコアを加点すればよい。
【００４４】
なお、求職者起点優遇スコアは、これらに限定されるものではなく、例えば、求人企業の業績が良い、事業展開により採用を拡大している、採用率が高い、離職率が低い、同年代又は同性の社員が多い等、求職者向けに求人案件を推薦する要因であれば、その他の情報に基づいて算出されても構わない。また、求人企業の業績が悪かったり、離職率が高かったりすれば、当該求人企業が提供する求人案件の求職者への推薦度は低くなり、求職者起点優遇スコアを減点しても構わない。
【００４５】
企業起点優遇スコア算出部１５０は、求職者情報に基づいて求職者の推薦度を示す企業起点優遇スコアを算出する。企業起点優遇スコアとは、後述するマッチングスコアを算出する際に、企業向けに求職者を推薦する要因を考慮するものである。例えば、企業起点優遇スコアは、求職者の勤務開始時期、年齢、職歴及びスキルを含む企業起点優遇項目に基づいて算出される。より具体的には、企業が求める年齢層であったり、資格を保有していたり、潜在能力があったりすれば、当該求職者の企業への推薦度は高くなり、企業起点優遇スコアを加点すればよい。
【００４６】
なお、企業起点優遇スコアは、これらに限定されるものではなく、例えば、前職での評判が良かった、健康状態が良好、又は残業可能等、企業向けに求職者を推薦する要因であれば、その他の情報に基づいて算出されても構わない。また、一方、短期間で転職を多く繰り返していたり、その他企業が危惧する要因があったりすれば、当該求職者の企業への推薦度は低くなり、企業起点優遇スコアを減点すればよい。
【００４７】
マッチングスコア算出部１６０は、ベーススコアと、求職者起点優遇スコア又は企業起点優遇スコアとに基づいてマッチングスコアを算出する。具体的には、求職者向けには、マッチングスコア算出部１６０は、ベーススコアと求職者起点優遇スコアとに基づいて、マッチングスコアを算出する。企業向けには、マッチングスコア算出部１６０は、ベーススコアと企業起点優遇スコアとに基づいて、マッチングスコアを算出する。
【００４８】
さらに、算出されたマッチングスコアは、例えば、高得点順に提示すればよいが、提示する件数等については、適宜、設定できるようにすればよい。また、提示方法としては、画面に表示したり、ネットワークを介して他のコンピュータやモニタに表示したり、さらには、電子メールにて通知したりしても構わない。
【００４９】
［ベーススコアの算出］
次に、求職者及び求人企業双方の要求に沿った適合度を示すベーススコアの算出方法について例を挙げながら詳しく説明する。
【００５０】
図３は、本発明の第１実施形態に係るマッチングシステム１００におけるベーススコア算出部１３０の一例を示す図であり、図４は、本発明の第１実施形態に係るマッチングシステム１００において、採用条件を構成する各項目に設定される配点及び求職者によって設定される優先度に基づいて、ベーススコアが算出される一例を示す図である。
【００５１】
図３において、ベーススコア算出部１３０は、重み付け設定部１３１及びベーススコア演算部１３２を含む。
【００５２】
重み付け設定部１３１は、求人案件情報に含まれる採用条件を構成する各項目に設定される配点に、求職者によって設定される労働条件を構成する各項目の優先度に基づいて重み付けを設定する。
【００５３】
図４に示されるように、求職者側の重み付けとしては、労働条件を構成する各項目について優先度が付与されている。具体的には、求職者が所望する労働条件を構成する各項目のうち、例えば、職種、勤務地及び給与の順に１位〜３位の優先順位を設定することにより、優先度を付与すればよい。
【００５４】
一方、求人企業側は、求人案件情報に含まれる採用条件を構成する各項目に設定される配点を、ここでは、一律に１０点としている。
【００５５】
これにより、採用条件に適合するという求人企業側の要求を確保しつつ、求職者側の優先度を考慮してより細かく求職者の要求を反映している。
【００５６】
ベーススコア演算部１３２は、労働条件と採用条件とを比較することにより各項目について条件を満たすか否かを判定するとともに、当該各項目に設定された重み付けに基づいてベーススコアを演算する。
【００５７】
図４に示されるように、求職者は、所望の労働条件として、「職種＝製造系」「勤務地＝山口市」「雇用形態＝正社員又は契約社員」「給与＝月給３５万円以上」「休日＝土日祝」等を設定している。一方、求人企業が提供する求人案件では、採用条件として、「職種＝製造系」「勤務地＝山口市」「雇用形態＝正社員」「給与＝月給３０万円」「休日＝日祝」等が設定されている。
【００５８】
ここで、職種、勤務地、雇用形態及び適正に関して、求職者と求人企業との条件が合致しており、これらの項目に対して設定された配点及び重み付けにより点数が演算される。具体的には、一律に設定されている配点「１０点」に対して、求職者が設定した優先度に応じて、優先順位１位の「職種」の点数が４倍され、優先順位２位の「勤務地」の点数が３倍される。なお、優先順位３位の「給与」については、優先順位の重み付けに基づけは、点数が２倍されるところ、「給与」は条件が合致していないため点数は２倍されても「０点」のままである。
【００５９】
以上により、「職種：４０点」＋「勤務地：３０点」＋「雇用形態：１０点」＋「適正：１０点」として、「ベーススコア＝９０点」が算出される。
【００６０】
［求職者起点優遇スコアの算出］
図５は、本発明の第１実施形態に係るマッチングシステム１００において、ベーススコアに求職者起点優遇スコアが付与されて、マッチングスコアが算出される一例を示す図である。図５において、求職者起点優遇項目のうち、求人企業が採用に積極的であるため、ベーススコア「９０点」に求職者起点優遇スコア「１５点」が加算され、マッチングスコアは、「１０５点」となっている。
【００６１】
［企業起点優遇スコアの算出］
図６は、本発明の第１実施形態に係るマッチングシステム１００において、ベーススコアに企業起点優遇スコアが付与されて、マッチングスコアが算出される一例を示す図である。図６において、企業起点優遇項目のうち、求職者の勤務開始時期が早急、及び年齢が２９歳（比較的若い）であるため、ベーススコア「９０点」に企業起点優遇スコア「３０点」が加算され、マッチングスコアは、「１２０点」となっている。
【００６２】
なお、ここでは、求職者起点優遇スコア及び企業起点優遇スコアについて、各項目に１５点の配点を設定していたが、これに限定されるものではない。例えば、各項目に異なる配点を設定したり、求職者及び求人企業の意図に沿った優先度を設定したり、配点及び優先度の両方を設定したりしても構わない。
【００６３】
図７は、本発明の第１実施形態に係るマッチングシステム１００において、企業起点優遇項目に設定された優先順位に基づいて企業起点優遇スコアが算出される一例を示す図である。図７において、企業起点優遇項目のうち、勤務開始時期、年齢、経験及び強みにそれぞれ「６点」、勤務持続性に「１０点」の配点が設定されている。さらに、勤務開始時期、強み及び年齢の順に１位〜３位の優先順位が設定されることにより重み付けが設定されている。
【００６４】
ここで、勤務開始時期、年齢及び強みに関して、求職者と求人企業との条件が合致しており、これらの項目に対して設定された配点及び重み付けにより点数が演算される。具体的には、設定されている配点「６点」に対して、求人企業が設定した優先度に応じて、優先順位１位の「勤務開始時期」の点数が４倍され、優先順位２位の「強み」の点数が３倍され、優先順位３位の「年齢」の点数が２倍される。これにより、企業起点優遇スコアは、「５４点」と算出される。
【００６５】
［動作］
図８は、本発明の第１実施形態に係るマッチングシステム１００が実行するマッチング方法Ｍ１００の処理の流れを示すフローチャートである。図８において、マッチング方法Ｍ１００は、マッチングシステム１００に含まれるプロセッサにより実行されるステップＳ１１０〜Ｓ１８０を含む。
【００６６】
ステップＳ１１０において、マッチングシステム１００は、求職者向けか、求人企業向けかを判定し、求職者向けであれば、ステップＳ１２０及びステップＳ１３０の処理に進み、求人企業向けであれば、ステップＳ１２１及びステップＳ１３１の処理に進む。求職者向けか、求人企業向けかは、例えば、当該マッチングシステム１００を使用するユーザに選択させても構わないし、当該マッチングシステム１００の使用契約として、予めいずれかを選択しておいても構わない。
【００６７】
ステップＳ１２０において、求職者情報取得部１１０は、該当の求職者情報を取得する。例えば、求職者情報取得部１１０は、求職者情報ＤＢ１０に登録されている、当該求職者に関する個人情報と当該求職者が所望する労働条件等を取得する。
【００６８】
ステップＳ１３０において、求人案件情報取得部１２０は、求人案件情報を取得する。例えば、求人案件情報取得部１２０は、求人案件情報ＤＢ２０に登録されている、求人企業が提示する採用条件等を取得する。
【００６９】
ステップＳ１２１において、求人案件情報取得部１２０は、該当の求人案件情報を取得する。例えば、求人案件情報取得部１２０は、求人案件情報ＤＢ２０に登録されている、当該求人企業が提示する採用条件等を取得する。
【００７０】
ステップＳ１３１において、求職者情報取得部１１０は、求職者情報を取得する。例えば、求職者情報取得部１１０は、求職者情報ＤＢ１０に登録されている、求職者に関する個人情報と当該求職者が所望する労働条件等を取得する。
【００７１】
ステップＳ１４０において、ベーススコア算出部１３０の重み付け設定部１３１は、ステップＳ１２０で取得された採用条件を構成する各項目に設定される配点に、ステップＳ１１０で取得された、求職者によって設定される労働条件を構成する各項目に対する優先度に基づいて、重み付けを設定する。
【００７２】
ステップＳ１５０において、ベーススコア算出部１３０のベーススコア演算部１３２は、ステップＳ１２０又はステップＳ１３１で取得された労働条件とステップＳ１３０又はステップ１２１で取得された採用条件とを比較することにより、各項目について条件を満たすか否かを判定する。そして、ベーススコア演算部１３２は、条件を満たす項目について、ステップＳ１３０で設定された重み付けに基づいてベーススコアを演算する。
【００７３】
ステップＳ１６０において、求職者起点優遇スコア算出部１４０は、求職者起点優遇スコアを算出する。例えば、求職者起点優遇スコア算出部１４０は、採用の時期、人数、基準、緊急度、積極性及び当該マッチングシステムの契約プランのうち少なくとも１つを含む求職者起点優遇項目に基づいて、求職者起点優遇スコアを算出すればよい。
【００７４】
ステップＳ１７０において、企業起点優遇スコア算出部１５０は、企業起点優遇スコアを算出する。例えば、企業起点優遇スコア算出部１５０は、求職者の勤務開始時期、年齢、職歴及びスキルのうち少なくとも１つを含む企業起点優遇項目に基づいて企業起点優遇スコアを算出すればよい。
【００７５】
ステップＳ１８０において、マッチングスコア算出部１６０は、ベーススコアと、求職者起点優遇スコア又は企業起点優遇スコアとに基づいてマッチングスコアを算出する。
【００７６】
以上のように、本発明の第１実施形態に係るマッチングシステム１００及びマッチング方法Ｍ１００によれば、ベーススコア算出部１３０は、採用条件を構成する各項目に設定される配点に、求職者によって設定される労働条件を構成する各項目の優先度に基づいて重み付けを設定した上で、ベーススコアを算出する。さらに、マッチングスコア算出部１６０は、当該ベーススコアと、求職者起点優遇スコア算出部１４０によって算出された求職者起点優遇スコア、又は企業起点優遇スコア算出部１５０によって算出された企業起点優遇スコアとに基づいて、マッチングスコアを算出する。その結果、求職者及び求人企業双方の意図に沿った適切なマッチングを行うことができる。
【００７７】
なお、本実施形態では、優先度に応じた重み付けとして、優先順位１位、２位及び３位について、点数を４倍、３倍及び２倍としたが、これに限定されるものではなく、重み付けする優先順位及び倍率を調整しても構わない。例えば、優先順位１位の項目のみ２倍としても構わないし、優先順位１位〜５位の項目に対して、それぞれ５割増〜１割増等としても構わない。
【００７８】
また、本実施形態では、優先順位に応じて点数に所定の割合を積算することによって重み付けを付与しているが、これに限定されるものではなく、例えば、優先順位に応じて所定の点数を加算しても構わない。具体的には、優先順位１位、２位及び３位について、それぞれ３０点、２０点及び１０点を加算する等しても構わない。
【００７９】
また、求職者及び求人企業にとって、必須の労働条件及び採用条件等があれば、当該項目に対して、必須条件項目である旨を示すＭＵＳＴフラグを設定しても構わない。具体的には、求職者が勤務地にＭＵＳＴフラグを設定した場合、勤務地が合致しない求人企業の求人案件には、たとえ他の項目において多数の合致があったとしても、ベーススコアを０点にする。また、求人企業の求人案件において、資格にＭＵＳＴフラグが設定されていれば、資格を保有しない求職者については、ベーススコアを０点にする。
【００８０】
なお、ＭＵＳＴフラグは、１つの項目に設定しても構わないし、２つ以上の項目に設定しても構わない。また、求職者が労働条件を構成する各項目に設定する優先度に関して、例えば、優先順位１位の項目、又は優先順位１位から所定順位までの項目に、自動的にＭＵＳＴフラグが設定されるようにしても構わない。
【００８１】
このように、ＭＵＳＴフラグを設定することにより、必須項目が合致しない場合には、ベーススコアが０点となるため、求職者及び求人企業双方にとって必須条件に合致しない求人案件及び求職者を除外することができ、より適切なマッチングを実現することができる。
【００８２】
＜第２実施形態＞
次に、本発明の第２実施形態では、第１実施形態で説明したベーススコアの演算方法に関して、職種経験の有無に応じて演算方法を選択することについて説明する。本実施形態では、第１実施形態と共通の構成については詳細な説明を省略し、主に、第１実施形態と異なる点について中心に説明する。
【００８３】
［演算方法の選択］
図９は、本発明の第２実施形態に係るマッチングシステムにおけるベーススコア算出部２３０の一例を示す図である。図９において、ベーススコア算出部２３０は、重み付け設定部１３１と、職種経験判断部２３１と、演算方法選択部２３２と、ベーススコア演算部２３３とを含む。
【００８４】
職種経験判断部２３１は、求職者情報に基づいて、当該求職者の、所定の職種に関する経験の有無を判断する。例えば、職種経験判断部２３１は、求職者情報取得部１１０によって取得された求職者情報に含まれる個人情報のうち職務経歴を参照し、労働条件として所望する職種について経験の有無を判断する。ここで、単に、当該職種について経験があれば、経験有と判断しても構わないし、例えば、１年又は３年以上等、所定の期間以上の経験がある場合に、経験有と判断しても構わない。
【００８５】
演算方法選択部２３２は、所定の職種に関する経験の有無に応じて、ベーススコアを演算する複数の演算方法のうちいずれかの演算方法を選択する。例えば、複数の演算方法として、加点法及び減点法を含み、演算方法選択部２３２は、求職者が所定の職種に関する経験が無い有の場合、加点法を選択し、経験が有る場合、減点法を選択する。
【００８６】
加点法が選択された場合、ベーススコア演算部２３３は、例えば、第１実施形態において図４を用いて説明したように、ベーススコアを演算すればよい。
【００８７】
減点法が選択された場合、ベーススコア演算部２３３は、以下のように、ベーススコアを演算する。なお、ここでは、求人企業としては、所定の職種についての経験がある求職者について、当該職種に関するスキルを有し、概ね採用したいと考えるため、条件が合致しない項目に対して減点するという減点法を用いるものとしている。
【００８８】
図１０は、本発明の第２実施形態に係るマッチングシステムにおけるベーススコア算出部２３０によって、減点法が用いられてベーススコアが算出される一例を示す図である。図１０に示されるように、給与及び休日に関して、求職者と求人企業との条件が合致しておらず、これらの項目に対して設定された配点及び重み付けにより点数が減算される。具体的には、設定されている配点「給与：−１０点」「休日：−１０点」に対して、求職者が設定した優先度に応じて、優先順位３位の「給与」の点数が２倍されて、「−２０点」となる。
【００８９】
以上により、満点（基準点）を２００点とした場合、「給与：−２０点」「休日：−１０点」分を減算すると、「ベーススコア＝１７０点」が算出される。
【００９０】
［動作］
図１１は、本発明の第２実施形態に係るマッチングシステムが実行するマッチング方法Ｍ２００の処理の流れを示すフローチャートである。図１１において、マッチング方法Ｍ２００は、マッチングシステムに含まれるプロセッサにより実行されるステップＳ１１０〜Ｓ１８０、及びステップＳ２１０〜Ｓ２３０を含む。マッチング方法Ｍ２００は、第１実施形態において図８を用いて説明したマッチング方法Ｍ１００と比べて、ステップＳ１４０の前に、ステップＳ２１０〜Ｓ２３０を含む。
【００９１】
ステップＳ２１０において、職種経験判断部２３１は、ステップＳ１２０又はステップＳ１３１で取得された求職者情報に含まれる職務経歴に基づいて、所望する職種について経験の有無を判断し、当該職種に関して経験が有る場合（ステップＳ２１０のＹｅｓ）、ステップＳ２２０の処理に進み、当該職種に関して経験が無い場合（ステップＳ２１０のＮｏ）、ステップＳ２３０の処理に進む。
【００９２】
ステップＳ２２０において、演算方法選択部２３２は、ベーススコアを演算方法として減点法を選択する。
【００９３】
ステップＳ２３０において、演算方法選択部２３２は、ベーススコアを演算方法として加点法を選択する。
【００９４】
そして、ベーススコア演算部２３３は、選択された演算方法を用いて、ベーススコアを演算する。具体的には、減点法が選択される場合には、図１０を用いて説明したように、満点（基準点）を設定し、条件が合致しない項目に対して減点することにより演算し、加点法が選択される場合には、図４を用いて説明したように、条件が合致する項目に対して加点することにより演算すればよい。
【００９５】
以上のように、本発明の第２実施形態に係るマッチングシステム及びマッチング方法Ｍ２００によれば、ベーススコア算出部２３０は、求職者の所定の職種に関する経験の有無に応じて、ベーススコアを演算する演算方法を選択した上で、ベーススコアを算出する。その結果、当該ベーススコアは、求職者の経験に応じた演算方法を用いて演算され、より適切に数値化されたものとなっているため、求職者及び求人企業双方の意図に沿ったより適切なマッチングを行うことができる。
【００９６】
なお、本実施形態では、演算方法として加点法及び減点法を用いたが、これに限定されるものはなく、例えば、適切なベーススコアが算出できるのであれば、１次関数又は２次関数、指数関数、対数関数及び三角関数等、複雑な関数を含む演算方法を用いても構わない。
【００９７】
＜その他＞
［適正判断］
さらに、ベーススコアを算出する方法として、求職者の特性に関する特性情報を考慮しても構わない。求職者の特性は、所定の職種に対する適正に影響するものであり、より適切なマッチングが可能となる場合がある。
【００９８】
具体的には、ベーススコア算出部１３０（２３０）は、適正職種判断部をさらに含む。適正職種判断部は、求職者情報に含まれる個人情報のうち、当該求職者の特性に関する特性情報に基づいて、職種に対応する適正度を判断する。
【００９９】
図１２は、求職者の特性に対応する適正職種の一例を示す図である。図１２において、「向いているもの」及び「向いていないもの」に対応する職種が示されている。例えば、求職者に診断テスト又はアンケート等を実施し、その結果を個人情報に含まれる特性情報として記憶する。
【０１００】
ここでは、求職者が「向いているもの」として回答した結果Ｐ３０から、清掃系、社長・役員系、教育系等が含まれる職種３１が適正な職種として挙げられている。一方、求職者が「向いていないもの」として回答した結果Ｎ４０から、物流系、鉱業系、農業系等が含まれる職種４１が適正でない職種として挙げられている。
【０１０１】
このように、ベーススコア算出部１３０（２３０）は、求職者の特性情報から所定の職種に対しての適正度（適正か適正でないか等）を判断し、当該適正度に応じてベーススコアに加点又は減点しても構わない。これにより、求職者の特性情報も踏まえて、より適切なマッチングが可能となる。
【０１０２】
なお、求職者に対して実施する診断テスト又はアンケートにおいて、質問に対して所定の時間内に回答した項目の結果を、特性情報として採用するようにしても構わない。例えば、質問に対して求職者が即座に回答している場合は、当該質問に対して明確な意識を持っているため、当該回答を採用する。一方、質問に対して求職者が長時間かけて回答している場合は、当該質問に対して明確な意識を持っておらず、悩みながら回答しているものと考えられるため、当該回答は採用しない。ここで、所定の時間内とは、質問内容に応じて設定すればよいが、「はい」又は「いいえ」の二択等の択一的な回答であれば、例えば、３秒又は５秒等と設定すればよい。
【０１０３】
［求人企業の採用方針］
本発明の第１及び第２実施形態では、採用条件を構成する各項目に設定される配点については、一律に１０点（−１０点）等を設定していたが、求人企業における採用方針に応じて当該配点を変更可能とし、求人企業側の要望をより細かく反映するようにしても構わない。
【０１０４】
図１３は、求人企業によって設定される採用方針の一例を示す図であり、図１４は、求人企業によって設定される採用方針に基づいて、各項目に対する重み付け（配点）の一例を示す図である。
【０１０５】
図１３において、求職者の年齢（年配／若い）及びスキル（できること／やりたいこと）を軸として、４つの採用方針が示されており、図１４において、これらの採用方針を選択した場合における各項目に対する重み付け（配点）が示されている。なお、図１４では、ベーススコア及び企業起点優遇スコアの算出に関する各項目において、重み付け（配点）が細かく設定されている。
【０１０６】
例えば、（Ａ）専門枠採用の場合、職種、職歴及び年齢を重視し、これらの項目に重み付けがなされて配点が高くなっている。求人企業としては、専門学校卒又は新卒で専門職に就いて、特定のスキルを早期に習得できている人材を採用したいと考えている。
【０１０７】
（Ｂ）即戦力採用の場合、職種、職歴及び資格を重視し、これらの項目に重み付けがなされて配点が高くなっている一方で、給与及び年齢等にはこだわらないという意味で配点が低くなっている。求人企業としては、過去の職歴での経験を即座に活かせる人材を採用したいと考えている。
【０１０８】
（Ｃ）ポテンシャル採用の場合、年齢及び適正を重視し、これらの項目に重み付けがなされて配点が高くなっている一方で、現時点での職歴及び資格等は重視せず、配点が低くなっている。求人企業としては、将来性に期待して、年齢が若く、適正のある人材を採用したいと考えている。
【０１０９】
（Ｄ）条件調整採用の場合、勤務地、雇用形態及び給与を重視し、これらの項目に重み付けがなされて配点が高くなっている一方で、職歴及び年齢等は重視せず、配点が低くなっている。求人企業としては、将来性に期待して、職歴及び年齢に対する制約を緩める一方で、給与等の条件面で妥協可能な人材を採用したいと考えている。
【０１１０】
このように、求人企業としては、採用方針に基づいて採用したいと考えている人物像に対して、より適合する求職者のスコアが高得点となって表れるような重み付け（配点）が設定される。
【０１１１】
なお、ここでは、求職者の年齢及びスキルを軸として、（Ａ）〜（Ｄ）の４つの採用方針を例示したが、採用方針はこれらに限定されるものではなく、例えば、採用条件に含まれる他の項目を軸にし、３つ以下又は５つ以上の採用方針を設定しても構わない。そして、それぞれの採用方針に対応する重み付け（配点）を設定し、また、予め設定した重み付け（配点）について、マッチング結果をフィードバック等して、適宜、変更可能としても構わない。
【０１１２】
図１５は、求職者によって設定される優先度及び求人企業によって設定される採用方針に基づいて、ベーススコア及び企業起点優遇スコアが算出される一例を示す図である。図１５において、求人企業は、図１３及び図１４を用いて説明したように、採用方針を選択することによって当該採用方針に対応する重み付け（配点）を設定する。ここでは、（Ｂ）即戦力採用を選択したものとする。
【０１１３】
一方、求職者側の重み付けとしては、労働条件に含まれる項目について優先度を付与する。具体的には、求職者が所望する労働条件に含まれる各項目のうち、例えば、職種、勤務地、給与、雇用形態及び休日の順に１位〜５位の優先順位を設定することにより、優先度を付与すればよい。
【０１１４】
図１５に示されるように、個人情報及び所望の労働条件を含む求職者情報として、「職種＝製造系」「勤務地＝山口市」「雇用形態＝正社員又は契約社員」「給与＝月給３５万円以上」「休日＝土日祝」「適正＝真面目」「職歴＝事務系５年」「資格＝無」「年齢＝３５歳」が設定されている。さらに、当該求職者は、労働条件のうち、「職種」「勤務地」「給与」「雇用形態」「休日」の順で、優先度を設定している。一方、求人企業が提供する求人案件では、「職種＝製造系」「勤務地＝山口市」「雇用形態＝正社員」「給与＝月給３０万円」「休日＝日祝」「適正＝真面目」「職歴＝製造系３年以上」「資格＝有」「年齢＝３０−５０歳」が設定されている。
【０１１５】
ここで、職種、勤務地、雇用形態、適正及び年齢に関して、求職者と求人企業との条件が合致しており、これらの項目に対して設定された重み付け（配点）により点数が加算される。
【０１１６】
ここでは、（Ｂ）即戦力採用に応じた重み付け（配点）に基づいて、「職種：２０点」「勤務地：５点」「雇用形態：５点」「適正：１０点」となる。さらに、求職者によって設定された優先度に応じて、優先順位１位の「職種」の点数「２０点」が５倍され、優先順位２位の「勤務地」の点数「５点」が４倍され、優先順位４位の「雇用形態」の点数「５点」が２倍される。
【０１１７】
以上により、「職種：１００点」＋「勤務地：２０点」＋「雇用形態：１０点」＋「適正：１０点」として、「ベーススコア＝１４０点」が算出される。さらに、企業起点優遇スコア「年齢：５点」を付与すると、マッチングスコアは、「１４５点」となる。
【０１１８】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。本発明の範囲は上述した実施形態に留まらず、当業者が把握可能な範囲にまで広く解釈されるものである。
【０１１９】
また、本発明における求人企業とは、典型的には、人材を募集する株式会社等の法人企業であるが、これに限定されるものではなく、学校、公団、組合、個人商店及び自治体等も含まれ、これらにおいても本発明のマッチングシステムを適用することができる。
【符号の説明】
【０１２０】
１０…求職者情報ＤＢ、２０…求人案件情報ＤＢ、３１，４１…職種、３０Ｐ…向いているもの、Ｎ４０…向いていないもの、１００…マッチングシステム、１１０…求職者情報取得部、１２０…求人案件情報取得部、１３０，２３０…ベーススコア算出部、１３１…重み付け設定部、１３２，２３３…ベーススコア演算部、１４０…求職者起点優遇スコア算出部、１５０…企業起点優遇スコア算出部、１６０…マッチングスコア算出部、２３１…職種経験判断部、２３２…演算方法選択部、Ｍ１００，Ｍ２００…マッチング方法、Ｓ１１０〜Ｓ１８０，Ｓ２１０〜Ｓ２３０…マッチング方法の各ステップ
【要約】
【課題】求職者及び求人企業双方の意図に沿った適切なマッチングを行うマッチングシステムを提供することである。
【解決手段】マッチングシステム１００は、求職者情報を取得する求職者情報取得部１１０と、求人案件情報を取得する求人案件情報取得部１２０と、求職者情報と求人案件情報とに基づいて、求職者と求人案件との適合度を示すベーススコアを算出するベーススコア算出部１３０と、求人企業の状況に関する企業状況情報に基づいて求人案件の推薦度を示す求職者起点優遇スコアを算出する求職者起点優遇スコア算出部１４０と、求職者情報に基づいて求職者の推薦度を示す企業起点優遇スコアを算出する企業起点優遇スコア算出部１５０と、ベーススコアと、求職者起点優遇スコア又は企業起点優遇スコアとに基づいてマッチングスコアを算出するマッチングスコア算出部１６０と、を備える。
【選択図】図２【図１】
0006955294.tif 000002
【図２】
0006955294.tif 000003
【図３】
0006955294.tif 000004
【図４】
0006955294.tif 000005
【図５】
0006955294.tif 000006
【図６】
0006955294.tif 000007
【図７】
0006955294.tif 000008
【図８】
0006955294.tif 000009
【図９】
0006955294.tif 000010
【図１０】
0006955294.tif 000011
【図１１】
0006955294.tif 000012
【図１２】
0006955294.tif 000013
【図１３】
0006955294.tif 000014
【図１４】
0006955294.tif 000015
【図１５】
0006955294.tif 000016